(57)【要約】【課題】回路基板が基板ボックスごと不正に交換されることを防止する。【解決手段】メインセット２０の後板には前方からセキュリティチップ２２がビス２５によって組付けられている。このセキュリティチップ２２はビス２５を緩めることに基づいて交換されるものであり、セキュリティチップ２２には後方から基板ボックスがカシメビス３３によって取外し不能に組付けられている。この構成の場合、基板ボックスをメインセット２０から取外すにはカシメビス３３を緩める困難な作業を必要とするので、基板ボックス内の賞球回路基板が基板ボックスごと不正に交換されることが防止される。【選択図】図１
2008149167.tif 000002
【特許請求の範囲】
【請求項１】
複数の板材を角筒状に組合せてなる外枠と、
遊技者が前方から操作する発射ハンドルが装着されたものであって、発射ハンドルの配置箇所である右側とは反対の左側辺部が前記外枠に回動可能に設けられた中枠と、
前記中枠に前記中枠より後方に位置して設けられ、パチンコ球が発射される遊技盤を保持する取付枠と、
前記遊技盤に設けられ、回動可能な扉を有する大入賞口と、
前記遊技盤の後面に設けられ、表示制御装置が搭載された表示回路基板を後方から覆うセンタカバーと、
前記取付枠に前記取付枠より後方に位置して回動可能に設けられ、パチンコ球が貯留された球タンクおよび球タンクに接続されたタンクレールを保持するものであって前記センタカバーを囲う枠状をなすと共に前記センタカバーを囲う状態から後方へ回動した状態に開放されるメインセットと、
前記メインセットに設けられ、前記球タンクから前記タンクレールを通してパチンコ球が供給されるものであってパチンコ球を払出す球払出し機構が収納された球払出しケースと、
前記メインセットのうち前記遊技盤の後方に位置する部分に前記遊技盤側である前方からビスを螺合することに基づいて前記メインセットの前面に接合され、前記メインセットを開放して当該ビスを取外すことに基づいて前記メインセットから取外されるものであって前記メインセットが前記センタカバーを囲う状態にあるときに前記メインセットおよび前記センタカバー相互間の隙間に対向する平板状のチップベースを有する連結部材と、
前記連結部材に前記遊技盤とは反対側の後方から締込まれる一方向にのみ操作可能なワンウェイネジが螺合されることに基づいて前記連結部材に連結されたボックスベースと、
前記ボックスベースに後方から嵌合されたものであって、後方から前記ワンウェイネジとは異なるワンウェイネジが螺合されることに基づいて前記ボックスベースに接合されたボックスカバーと、
前記ボックスベースおよび前記ボックスカバー相互間に収納され、パチンコ球が前記大入賞口内に入球することに基づいて前記球払出し機構を駆動して前記球払出しケースからパチンコ球を払出す賞球制御装置が搭載された賞球回路基板を備え、
前記連結部材は、
前記メインセットおよび前記センタカバー相互間の隙間を通して不正に切断されたときに切断の痕跡を残すことで前記ボックスベースおよび前記ボックスカバーからなる基板ボックスが不正交換されたことを目視で発見することを可能にするものであり、
前記基板ボックスの適法な点検を行うに際して切断されたときに前記メインセットを開放して前記連結部材の切断残りを除去した後に新たな基板ボックスを連結部材を介して前記メインセットに組付けることができるように前記ビスで前記メインセットの前面に接合されていることを特徴とするパチンコ機。
【発明の詳細な説明】
【技術分野】
【０００１】
本発明は機本体の後面側に基板ボックスが配置されたパチンコ機に関する。
【背景技術】
【０００２】
上記パチンコ機には基板ボックス内に大当り判定用の回路基板を収納し、基板ボックスを機本体の後面側にネジ止めした構成のものがある。
【特許文献１】特開平１０−２９５９１５号公報
【発明の開示】
【発明が解決しようとする課題】
【０００３】
この構成の場合、ネジを緩めるだけで基板ボックスを機本体から簡単に取外すことができるので、回路基板が基板ボックスごと不正に交換される虞れがある。
本発明は上記事情に鑑みてなされたものであり、その目的は、回路基板が基板ボックスごと不正に交換されることを防止できるパチンコ機を提供することにある。
【課題を解決するための手段】
【０００４】
請求項１記載のパチンコ機は、複数の板材を角筒状に組合せてなる外枠と、遊技者が前方から操作する発射ハンドルが装着されたものであって発射ハンドルの配置箇所である右側とは反対の左側辺部が前記外枠に回動可能に設けられた中枠と、前記中枠に前記中枠より後方に位置して設けられパチンコ球が発射される遊技盤を保持する取付枠と、前記遊技盤に設けられ回動可能な扉を有する大入賞口と、前記遊技盤の後面に設けられ表示制御装置が搭載された表示回路基板を後方から覆うセンタカバーと、前記取付枠に前記取付枠より後方に位置して回動可能に設けられパチンコ球が貯留された球タンクおよび球タンクに接続されたタンクレールを保持するものであって前記センタカバーを囲う枠状をなすと共に前記センタカバーを囲う状態から後方へ回動した状態に開放されるメインセットと、前記メインセットに設けられ前記球タンクから前記タンクレールを通してパチンコ球が供給されるものであってパチンコ球を払出す球払出し機構が収納された球払出しケースと、前記メインセットのうち前記遊技盤の後方に位置する部分に前記遊技盤側である前方からビスを螺合することに基づいて前記メインセットの前面に接合され前記メインセットを開放して当該ビスを取外すことに基づいて前記メインセットから取外されるものであって前記メインセットが前記センタカバーを囲う状態にあるときに前記メインセットおよび前記センタカバー相互間の隙間に対向する平板状のチップベースを有する連結部材と、前記連結部材に前記遊技盤とは反対側の後方から締込まれる一方向にのみ操作可能なワンウェイネジが螺合されることに基づいて前記連結部材に連結されたボックスベースと、前記ボックスベースに後方から嵌合されたものであって後方から前記ワンウェイネジとは異なるワンウェイネジが螺合されることに基づいて前記ボックスベースに接合されたボックスカバーと、前記ボックスベースおよび前記ボックスカバー相互間に収納されパチンコ球が前記大入賞口内に入球することに基づいて前記球払出し機構を駆動して前記球払出しケースからパチンコ球を払出す賞球制御装置が搭載された賞球回路基板を備え、前記連結部材は前記メインセットおよび前記センタカバー相互間の隙間を通して不正に切断されたときに切断の痕跡を残すことで前記ボックスベースおよび前記ボックスカバーからなる基板ボックスが不正交換されたことを目視で発見することを可能にするものであり、前記基板ボックスの適法な点検を行うに際して切断されたときに前記メインセットを開放して前記連結部材の切断残りを除去した後に新たな基板ボックスを連結部材を介して前記メインセットに組付けることができるように前記ビスで前記メインセットの前面に接合されているところに特徴を有する。
【発明の効果】
【０００５】
ボックスベースおよびボックスカバーからなる基板ボックスをメインセットから取外し難くなるので、賞球回路基板が基板ボックスごと不正に交換されることが防止される。しかも、仮に連結部材を切断して基板ボックスを取外し、不正に交換した場合には連結部材に切断の痕跡が残るので、基板ボックスの不正交換を視覚的に発見し易くなる。さらに、連結部材をメインセットに前方から着脱可能に組付けた。このため、基板ボックスの適法な点検等を行うに際して連結部材を切断したときにはメインセットを開放してビスを緩め、連結部材の切断残りを除去した後、新たな基板ボックスを連結部材を介してメインセットに組付けることができる。
【発明を実施するための最良の形態】
【０００６】
以下、本発明の一実施例を図面に基づいて説明する。まず、図３において、外枠１は複数の板材を角筒状に組合わせてなるものであり、外枠１の前端面には、図５に示すように、中枠２が左側辺部を中心に回動可能に装着されている。この中枠２は平板状をなすものであり、外枠１の前端面には、図４に示すように、中枠２の下方に位置して平板状の下板３が固定されている。
【０００７】
中枠２の後面には、図５に示すように、取付枠４が固定されており、取付枠４には遊技盤５（図４参照）が保持されている。この取付枠４は遊技盤５の外周部を保持する額縁状をなすものであり、遊技盤５の後面は取付枠４を通して後方に露出し、遊技盤５の前面は、図４に示すように、取付枠４および中枠２を通して前方に露出している。
【０００８】
中枠２の前面には矩形状の窓枠６が固定されており、窓枠６には矩形状のガラス枠７が左側辺部を中心に回動可能に装着されている。このガラス枠７にはガラス窓（図示せず）が組込まれており、遊技盤５の前面はガラス窓によって前方から覆われている。
【０００９】
中枠２の前面には、右下隅部に位置して発射ハンドル８が回動可能に装着されており、発射ハンドル８の裏側には発射モータ９が装着されている。この発射モータ９の回転軸にはクランク機構（図示せず）を介して打球槌１０が機械的に連結されており、発射ハンドル８が図４の時計回り方向へ回動操作されると、発射モータ９に電源が与えられ、打球槌１０が軸１１を中心に繰返し回動する。
【００１０】
中枠２の前面には上皿１２が装着されている。この上皿１２内にはパチンコ球（図示せず）が貯溜されており、打球槌１０が回動すると、上皿１２内のパチンコ球が打球槌１０によって弾かれる。また、遊技盤５の前面には外レール１３および内レール１４が固定されており、打球槌１０によって弾かれたパチンコ球は外レール１３および内レール１４間を通して遊技盤５の上部に案内され、複数の障害釘（図示せず）に当りながら落下する。尚、複数の障害釘は遊技盤５の前面に打込まれたものである。
【００１１】
遊技盤５の前面には図柄表示装置１５が固定されている。この図柄表示装置１５は液晶表示部１６を有するものであり、図柄表示装置１５の後面には表示回路基板（図示せず）が固定され、表示回路基板には表示制御装置１７（図２参照）が搭載されている。この表示制御装置１７はマイクロコンピュータを主体に構成されたものであり、図２に示すように、ドライブ回路１８を介して液晶表示部１６に電気的に接続されている。
【００１２】
遊技盤５の後面には、図３に示すように、合成樹脂製のセンタカバー１９が固定されており、表示回路基板はセンタカバー１９によって後方から覆われている。また、取付枠４の後面には、図５に示すように、合成樹脂製のメインセット２０が装着されている。このメインセット２０は中枠２と同一の側辺部を中心に回動可能にされたものであり、図３に示すように、センタカバー１９を囲う枠状をなしている。
【００１３】
メインセット２０の後板には、図１の（ｂ）に示すように、上下方向に間隔を置いて並ぶ２個のボス部２１が一体形成されている。これら各ボス部２１は、図１の（ａ）に示すように、遊技盤５側へ突出する（前方へ突出する）円筒状をなすものであり、両ボス部２１には合成樹脂製のセキュリティチップ２２が着脱可能に装着されている。このセキュリティチップ２２は連結部材に相当するものであり、次のように構成されている。
【００１４】
チップベース２３は、図１の（ｂ）に示すように、平板状をなすものであり、チップベース２３の上下端部にはメインセット取付部２４が一体形成されている。これら各メインセット取付部２４は、図１の（ａ）に示すように、前端面が閉塞された円筒状をなすものであり、ボス部２１の外周面に嵌合されている。
【００１５】
各メインセット取付部２４には遊技盤５側からビス２５が挿入されている。これら各ビス２５はメインセット２０のボス部２１内に締込まれており、チップベース２３は２本のビス２５によってメインセット２０の後板に着脱可能に組付けられている。
【００１６】
チップベース２３には上下方向に並ぶ５個の基板取付部２６が一体形成されている（１個のみ図示する）。これら各基板取付部２６は前後面が開口する円筒状をなすものであり、センタカバー１９には、図１の（ｂ）に示すように、切欠状の開口部２７が形成され、５個の基板取付部２６は、図１の（ａ）に示すように、開口部２７を通して後方に露出している。
【００１７】
セキュリティチップ２２には後方からメイン基板ボックス２８が取外し不能に組付けられている。以下、メイン基板ボックス２８について詳述する。ボックスベース２９は合成樹脂によって形成されたものであり、図１の（ｂ）に示すように、縦長な矩形板状をなしている。このボックスベース２９の外周部には壁リブ３０が一体形成されており、壁リブ３０には上下方向に並ぶ５本の連結リブ３１が一体形成されている。
【００１８】
各連結リブ３１の先端部には、図１の（ａ）に示すように、チップ取付部３２が一体形成されており、上下方向に隣接するチップ取付部３２間には、図１の  （ｂ）に示すように、連結リブ３１ａが一体形成されている。これら各チップ取付部３２は、図１の（ａ）に示すように、前後面が開口する円筒状をなすものであり、各チップ取付部３２内には後方から固定手段に相当するカシメビス３３が挿入されている。これら各カシメビス３３はワンウェイネジからなるものであり、セキュリティチップ２２の基板取付部２６内に締込まれ、ボックスベース２９は５本のカシメビス３３によってセキュリティチップ２２に固定されている。
【００１９】
各カシメビス３３の頭部３４には、図１の（ｃ）に示すように、凹部３５が形成されている。これら各凹部３５は三点係止構造のドライバー工具（図示せず）が挿入されるものであり、各凹部３５の内面には３個の係合部３６および３個の傾斜部３７が形成されている。
【００２０】
各凹部３５内にドライバー工具を挿入し、図１の（ｃ）の時計回り方向へ回動操作すると、ドライバー工具が３個の係合部３６に係合する。すると、各カシメビス３３がドライバー工具と共に回動し、各カシメビス３３がセキュリティチップ２２の基板取付部２６内に締込まれる。また、ドライバー工具を図１の（ｃ）の反時計回り方向へ回動操作すると、ドライバー工具が３個の傾斜部３７に乗り上げて空回りする。このため、各カシメビス３３の回動が行われず、各カシメビス３３が締結状態に保持される。
【００２１】
ボックスベース２９の壁リブ３０の内周面には、図１の（ｂ）に示すように、ボックスカバー３８が嵌合されており、ボックスベース２９にはボックスカバー３８を通して複数のカシメビス（図示せず）を締込まれている。これら各カシメビスは上述のカシメビス３３と同様のワンウェイネジからなるものであり、ボックスベース２９およびボックスカバー３８間は複数のカシメビスによって分解不能状態に連結されている。
【００２２】
ボックスベース２９およびボックスカバー３８間にはメイン回路基板３９が収納されており、メイン回路基板３９にはメイン制御装置４０（図２参照）が搭載されている。このメイン制御装置４０は判定装置に相当するものであり、マイクロコンピュータを主体に構成されている。
【００２３】
遊技盤５の前面には、図４に示すように、始動口４１が装着されている。この始動口４１内には始動口センサ４２（図２参照）が配設されており、始動口センサ４２は、図２に示すように、メイン制御装置４０に電気的に接続されている。この始動口センサ４２は近接スイッチからなるものであり、始動口４１内にパチンコ球が入球すると、始動口センサ４２がパチンコ球を検出してメイン制御装置４０に入球信号を出力する。
【００２４】
メイン制御装置４０のＲＯＭには大当り判定プログラムが記憶されており、メイン制御装置４０は始動口センサ４２の入球信号を大当り判定プログラムに基づいて処理し、入球信号の検出タイミングに基づいて「大当り」および「外れ」を判定する。そして、「大当り」および「外れ」の判定結果に基づいて表示指令を設定し、表示制御装置１７に出力する。
【００２５】
表示制御装置１７は、メイン制御装置４０から表示指令が与えられると、表示指令に基づいて「大当り図柄」および「外れ図柄」を設定する。そして、液晶表示部１６に設定した「大当り図柄」および「外れ図柄」を表示し、遊技者に「大当り」および「外れ」を報知する。
【００２６】
遊技盤５の前面には、図４に示すように、大入賞口４３が装着されている。この大入賞口４３は回動可能な扉４４を有するものであり、扉４４は大入賞口ソレノイド４５（図２参照）のプランジャに機械的に連結されている。この大入賞口ソレノイド４５は、図２に示すように、ドライブ回路４６を介してメイン制御装置４０に電気的に接続されており、メイン制御装置４０は「大当り」を判定すると、ドライブ回路４６を通して大入賞口ソレノイド４５に電源を与える。すると、大入賞口ソレノイド４５のプランジャが移動して扉４４が回動し、大入賞口４３が開放される。
【００２７】
メインセット２０の後板には、図３に示すように、賞球基板ボックス４７が固定されている。この賞球基板ボックス４７はボックスベースに後方からボックスカバーを被せてなるものであり、賞球基板ボックス４７内には賞球回路基板４８が収納され、賞球回路基板４８にはマイクロコンピュータを主体とする賞球制御装置４９（図２参照）が搭載されている。
【００２８】
大入賞口４３内には大入賞口センサ５０（図２参照）が配設されている。この大入賞口センサ５０は近接スイッチからなるものであり、大入賞口４３内にパチンコ球が入球すると、大入賞口センサ５０がパチンコ球を検出して入球信号を出力する。この大入賞口センサ５０は、図２に示すように、賞球制御装置４９に電気的に接続されており、賞球制御装置４９は大入賞口センサ５０から入球信号が出力される毎に内部の賞球カウンタを加算し、大入賞口４３内へのパチンコ球の入球個数を計測する。
【００２９】
メインセット２０の後板には、図３に示すように、上端部に位置して球タンク５１が固定されており、球タンク５１内にはパチンコ球が貯溜されている。また、メインセット２０の後板にはタンクレール５２および球払出しケース５３が固定されている。この球払出しケース５３はタンクレール５２を通して球タンク５１内に通じており、球払出しケース５３内には球タンク５１内からタンクレール５２内を通してパチンコ球が供給される。
【００３０】
球払出しケース５３内には球払出し機構５４が収納されている。この球払出し機構５４はスプロケット５５および球払出しソレノイド５６を有するものであり、球払出しソレノイド５６が駆動する毎にスプロケット５５が所定ピッチ回動し、球払出しケース５３内から一定個数のパチンコ球が払出される。この球払出しソレノイド５６は、図２に示すように、ドライブ回路５７を介して賞球制御装置４９に電気的に接続されており、賞球制御装置４９は賞球カウンタの加算結果に応じて球払出しソレノイド５６を駆動し、球払出しケース５３内から加算結果に応じた個数のパチンコ球を払出す。
【００３１】
メインセット２０には、図３に示すように、上皿通路５８が設けられている。この上皿通路５８は球払出しケース５３と上皿１２との間を繋ぐものであり、球払出しケース５３内から払い出されたパチンコ球は上皿通路５８を通して上皿１２内に供給される。
【００３２】
中枠２の前面には、図４に示すように、下皿５９が装着されている。また、メインセット２０には、図３に示すように、下皿通路６０が設けられている。この下皿通路６０は上皿１２と下皿５９との間を繋ぐものであり、上皿１２内から溢れたパチンコ球は下皿通路６０を通して下皿５９内に供給される。尚、図３および図４の符号６１は外枠１，中枠２，下板３，取付枠４，遊技盤５，窓枠６，ガラス枠７，ガラス窓，上皿１２，センタカバー１９，メインセット２０，下皿５９等を有する機本体を示すものである。
【００３３】
上記実施例によれば、メイン基板ボックス２８をメインセット２０の後板にカシメ付けした（カシメビス３３によって分解不能に固定した）。このため、メイン基板ボックス２８をメインセット２０から取外すには複数のカシメビス３３を緩め、メイン基板ボックス２８のカシメ付けを解除する困難な作業を必要とするので、メイン回路基板３９がメイン基板ボックス２８ごと不正に交換されることが防止される。
【００３４】
また、メインセット２０の後板にセキュリティチップ２２を介してメイン基板ボックス２８をカシメ付けした。このため、仮にセキュリティチップ２２を切断してメイン基板ボックス２８をメインセット２０から取外した場合にはセキュリティチップ２２に切断の痕跡が残るので、メイン基板ボックス２８の不正交換を目視で簡単に見付けることができる。
【００３５】
また、セキュリティチップ２２をメインセット２０の後板に前方から着脱可能に組付けた。このため、メイン基板ボックス２８の適法な点検等を行うに際してセキュリティチップ２２を切断したときには、メインセット２０を開放してビス２５を緩め、セキュリティチップ２２の切断残りを除去した後、新たなメイン基板ボックス２８をセキュリティチップ２２を介してメインセット２０に組付けることができる。
【００３６】
また、メイン回路基板３９に「大当り」および「外れ」を判定するメイン制御装置４０を搭載したので、出球数に直結するメイン回路基板３９がメイン基板ボックス２８ごと交換されることが防止される。
【００３７】
尚、上記実施例においては、セキュリティチップ２２をメインセット２０の後板に組付けたが、これに限定されるものではなく、例えばセンタカバー１９の後板に遊技盤５側から組付けても良い。
【００３８】
また、上記実施例においては、メイン基板ボックス２８をセキュリティチップ２２を介してメインセット２０にカシメ付けしたが、これに限定されるものではなく、例えばメインセット２０の後板あるいはセンタカバー１９の後板に直接的にカシメ付けしても良い。この場合、メイン基板ボックス２８のボックスベース２９を通してメインセット２０の後板あるいはセンタカバー１９の後板に複数のカシメビス３３を直接締込むと良い。
【００３９】
また、上記実施例においては、メイン基板ボックス２８のチップ取付部３２内を通してセキュリティチップ２２の基板取付部２６内にカシメビス３３を締込むことに基づいてメイン基板ボックス２８をセキュリティチップ２２にカシメ付けしたが、これに限定されるものではなく、例えば基板取付部２６内およびチップ取付部３２内にリベットを挿入した後、リベットを潰すことに基づいてメイン基板ボックス２８をセキュリティチップ２２にカシメ付けしても良い。
【００４０】
また、上記実施例においては、メイン基板ボックス２８のボックスベース２９およびボックスカバー３８間をカシメビスによって分解不能に連結したが、これに限定されるものではなく、例えばリベットによって分解不能に連結したり、溶着や溶接に基づいて分解不能に連結したり、内部で弾性係合（いわゆるスナップフィット方式）させることに基づいて分解不能に連結しても良い。
【００４１】
また、上記実施例においては、メイン基板ボックス２８のボックスベース２９およびボックスカバー３８間を分解不能に連結したが、これに限定されるものではなく、例えば両者を跨いで封印シールを貼付しても良い。この構成の場合、メイン基板ボックス２８の分解時に封印シールが破れ、メイン基板ボックス２８の分解が目視で簡単に見付かるので、メイン基板ボックス２８の分解に対する大きな抑止力になる。
【００４２】
また、上記実施例においては、本発明をメイン基板ボックス２８に適用したが、これに限定されるものではなく、例えば、賞球基板ボックス４７に適用しても良い。
上記実施例には特許請求の範囲に記載した発明に加えて次のその他発明１〜その他発明  ５のそれぞれが記載されている。
【００４３】
その他発明１のパチンコ機は、回路基板を有する基板ボックスを備え、前記基板ボックスが機本体の後面側に分解不能に固定されているところに特徴を有している。その他発明１によれば、基板ボックスを機本体から取外し難くなるので、回路基板が基板ボックスごと不正に交換されることが防止される。
【００４４】
その他発明２のパチンコ機は、回路基板を有する基板ボックスを備え、前記基板ボックスがメインセットの後板に分解不能に固定されているところに特徴を有している。その他発明２によれば、基板ボックスをメインセットから取外し難くなるので、回路基板が基板ボックスごと不正に交換されることが防止される。
【００４５】
その他発明３のパチンコ機は、機本体の後面側またはメインセットの後板に前方から連結部材が着脱可能に組付けられ、前記連結部材に後方から基板ボックスが分解不能に固定されているところに特徴を有している。その他発明３によれば、仮に連結部材を切断して基板ボックスを取外し、不正に交換した場合には連結部材に切断の痕跡が残るので、基板ボックスの不正交換を視覚的に発見し易くなる。
【００４６】
その他発明４のパチンコ機は、回路基板に「当り」および「外れ」を判定する判定装置が搭載されているところに特徴を有している。その他発明４によれば、「当り」および「外れ」を判定する回路基板が基板ボックスごと不正に交換されることが防止される。
【００４７】
その他発明５のパチンコ機は、複数の板材を角筒状に組合せてなる外枠と、遊技者が前方から操作する発射ハンドルが装着されたものであって発射ハンドルの配置箇所である右側とは反対の左側辺部が前記外枠に回動可能に設けられた中枠と、前記中枠に前記中枠より後方に位置して設けられパチンコ球が発射される遊技盤を保持する取付枠と、前記遊技盤に設けられ回動可能な扉を有する大入賞口と、前記遊技盤の後面に設けられ表示制御装置が搭載された表示回路基板を後方から覆うセンタカバーと、前記取付枠に前記取付枠より後方に位置して回動可能に設けられパチンコ球が貯留された球タンクおよび球タンクに接続されたタンクレールを保持するものであって前記センタカバーを囲う枠状をなすと共に前記センタカバーを囲う状態から後方へ回動した状態に開放されるメインセットと、前記メインセットのうち前記遊技盤の後方に位置する部分に前記遊技盤側である前方からビスを螺合することに基づいて前記メインセットの前面に接合され前記メインセットを開放して当該ビスを取外すことに基づいて前記メインセットから取外されるものであって前記メインセットが前記センタカバーを囲う状態にあるときに前記メインセットおよび前記センタカバー相互間の隙間に対向する平板状のチップベースを有する連結部材と、前記連結部材に前記遊技盤とは反対側の後方から締込まれる一方向にのみ操作可能なワンウェイネジが螺合されることに基づいて前記連結部材に連結されたボックスベースと、前記ボックスベースに後方から嵌合されたものであって前記ボックスベースから取外すことができないように前記ボックスベースにリベットによって接合または溶着によって接合または溶接によって接合または内部で弾性係合することによって接合されたボックスカバーと、前記ボックスベースおよび前記ボックスカバー相互間に収納され前記大入賞口の扉を開放する大当りであるか否かを判定するメイン制御装置が搭載されたメイン回路基板を備え、前記連結部材は前記メインセットおよび前記センタカバー相互間の隙間を通して不正に切断されたときに切断の痕跡を残すことで前記ボックスベースおよび前記ボックスカバーからなる基板ボックスが不正交換されたことを目視で発見することを可能にするものであり、前記基板ボックスの適法な点検を行うに際して切断されたときに前記メインセットを開放して前記連結部材の切断残りを除去した後に新たな基板ボックスを連結部材を介して前記メインセットに組付けることができるように前記ビスで前記メインセットの前面に接合されているところに特徴を有する。その他発明５によれば、ボックスベースおよびボックスカバーからなる基板ボックスをメインセットから取外し難くなるので、メイン回路基板が基板ボックスごと不正に交換されることが防止される。しかも、仮に連結部材を切断して基板ボックスを取外し、不正に交換した場合には連結部材に切断の痕跡が残るので、基板ボックスの不正交換を視覚的に発見し易くなる。さらに、連結部材をメインセットに前方から着脱可能に組付けた。このため、基板ボックスの適法な点検等を行うに際して連結部材を切断したときにはメインセットを開放してビスを緩め、連結部材の切断残りを除去した後、新たな基板ボックスを連結部材を介してメインセットに組付けることができる。
【図面の簡単な説明】
【００４８】
【図１】本発明の一実施例を示す図（ａはＸ１−Ｘ１線に沿う断面図、ｂは矢印Ｘ２視図、ｃはカシメビスの頭部を拡大して示す図）
【図２】電気的構成を示すブロック図
【図３】機本体を示す後面図
【図４】機本体を示す前面図
【図５】機本体を一部破断して示す上面図
【符号の説明】
【００４９】
１は外枠、２は中枠、４は取付枠、５は遊技盤、８は発射ハンドル、１７は表示制御装置、１９はセンタカバー、２０はメインセット、２２はセキュリティチップ（連結部材）、２３はチップベース、２５はビス、２８はメイン基板ボックス（基板ボックス）、２９はボックスベース、３３はカシメビス（ワンウェイネジ，固定手段）、３８はボックスカバー、３９はメイン回路基板（回路基板）、４０はメイン制御装置（判定装置）、４３は大入賞口、４４は扉、４７は賞球基板ボックス、４８は賞球回路基板、４９は賞球制御装置、５１は球タンク、５２はタンクレール、６１は機本体を示す。
【図１】
2008149167.tif 000003
【図２】
2008149167.tif 000004
【図３】
2008149167.tif 000005
【図４】
2008149167.tif 000006
【図５】
2008149167.tif 000007